(57)【特許請求の範囲】
【請求項１】
目地部を介して設けられた両側壁を有する左右の躯体間の目地部を目地プレートで覆う、該左右の躯体が異なる前後方向に揺れ動いても、その揺れ動きを吸収することができる上部目地装置と、前記左右の躯体が異なる前後方向に揺れ動いた場合に該左右の躯体の側壁部分に生ずる隙間を覆うことができる一方の目地部側躯体の両側壁側の上部目地装置の下部位置に後端部が固定され、先端部が他方の目地部側躯体近傍へ突出する可撓性のシート材を用いた第１の端部目地カバー、他方の目地部側躯体の両側壁側の前記第１の端部目地カバーの下部位置に後端部が固定され、先端部が一方の目地部側躯体近傍へ突出する可撓性のシート材を用いた第２の端部目地カバー、この第２の端部目地カバーおよび前記第１の端部目地カバーに荷物や人が落ちても下方へ落下するのを防止することができるように受けることができ、かつ伸縮可能な前記第１・第２の端部目地カバーを支持する支持機構とからなる両端部目地装置とからなる床用目地装置。
【請求項２】
上部目地装置は目地プレートの後端部が一方の目地部側躯体に固定され、先端部は他方の目地部側躯体の床面および側壁部分に形成した目地プレートスライド移動溝内をスライド移動できるように構成されたものであることを特徴とする請求項１記載の床用目地装置。
【請求項３】
上部目地装置は左右の躯体の側壁と当接する両端部目地プレートは隣りの目地プレートへもぐり込めるように、左右の躯体間の目地部を覆うように取付けられていることを特徴とする請求項１記載の床用目地装置。
【請求項４】
支持機構は第２の端部目地カバーの下部位置の一方の目地部側躯体に一端部が固定され、他端部が前記第２の端部目地カバーの後端部が固定された部位の下部に配置した滑車を介して、下部にスプリングを介して他方の目地部側躯体に固定されたワイヤーで構成されたものが少なくとも１個以上用いられていることを特徴とする請求項１記載の床用目地装置。
【請求項５】
支持機構は第２の端部目地カバーの下部位置の一方の目地部側躯体と他方の目地部側躯体に両端部が垂直方向に所定角度回動するように取付けられた伸縮リンク機構であることを特徴とする請求項１記載の床用目地装置。
【発明の詳細な説明】
【技術分野】
【０００１】
本発明は両側壁を有する左右の躯体間の目地部を覆う床用目地装置に関する。
【背景技術】
【０００２】
従来、左右の躯体に側壁が設けられた部位の床用目地装置は、異なる前後方向の左右の躯体の揺れ動きを吸収するために側壁と当接する両端部の目地プレートを揺れ動き時に隣りの目地プレートへもぐり込ませて、その揺れ動きを吸収したり、目地プレートの先端部が側壁を貫通できるように、側壁の下部に目地プレートスライド溝を形成している。
【０００３】
しかしながら、異なる前後方向に左右の躯体が揺れ動き、両端部の目地プレートが左右の躯体の側壁に当接した状態で移動したり、目地プレートスライド溝をスライド移動すると、左右の躯体の側壁間に三角形状の隙間が生じ、危険になるという欠点があった。
【特許文献１】特になし
【発明の開示】
【発明が解決しようとする課題】
【０００４】
本発明は以上のような従来の欠点に鑑み、左右の躯体が異なる前後方向に揺れ動いても、左右の躯体の両側壁間に三角形状の隙間が生じて危険になるのを確実に防止することができ、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた両側壁を有する左右の躯体間の目地部を目地プレートで覆う、該左右の躯体が異なる前後方向に揺れ動いても、その揺れ動きを吸収することができる上部目地装置と、前記左右の躯体が異なる前後方向に揺れ動いた場合に該左右の躯体の側壁部分に生ずる隙間を覆うことができる一方の目地部側躯体の両側壁側の上部目地装置の下部位置に後端部が固定され、先端部が他方の目地部側躯体近傍へ突出する可撓性のシート材を用いた第１の端部目地カバー、他方の目地部側躯体の両側壁側の前記第１の端部目地カバーの下部位置に後端部が固定され、先端部が一方の目地部側躯体近傍へ突出する可撓性のシート材を用いた第２の端部目地カバー、この第２の端部目地カバーおよび前記第１の端部目地カバーに荷物や人が落ちても下方へ落下するのを防止することができるように受けることができ、かつ伸縮可能な前記第１・第２の端部目地カバーを支持する支持機構とからなる両端部目地装置とで床用目地装置を構成している。
【発明の効果】
【０００７】
以上の説明から明らかなように、本発明にあっては次に列挙する効果が得られる。
【０００８】
（１）左右の躯体が異なる前後方向へ揺れ動くと、左右の躯体の両端部の側壁部分に上部目地装置の目地プレートでは覆うことのできない三角形状の隙間が生じるが、該三角形状の隙間を第１の端部目地カバー、第２の端部目地カバーで覆うことができるとともに、第１・第２の端部目地カバーを支持機構で受けているので、第１の端部目地カバー上に人や荷物が載っても、下へ落下するのを確実に防止することができる。
したがって、安全に使用することができる。
【０００９】
（２）前記（１）によって、第１の端部目地カバーおよび第２の端部目地カバーは可撓性のシート材であるので、目地部が狭くなると、撓んでその動きを吸収することができる。
【００１０】
（３）前記（１）によって、両端部目地装置は構造が簡単で、安価に製造することができ、コストの低減を図ることができる。
【００１１】
（４）請求項２、３、４も前記（１）〜（３）と同様な効果が得られる。
【００１２】
（５）請求項５も前記（１）〜（３）と同様な効果が得られるとともに、垂直方向に所定角度回動する伸縮リンク機構で第１・第２の端部目地カバーを支持するので、第１・第２の端部目地カバーに大きな荷重が加わっても、落下することなく、確実に支持することができる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は本発明の床用目地装置で、この床用目地装置１は目地部２を介して設けられた両側壁３、３、３、３を有する左右の躯体４、４間の目地部を目地プレート５で覆う、該左右の躯体４、４が異なる前後方向に揺れ動いても、その揺れ動きを吸収することができる上部目地装置６と、前記左右の躯体４、４が異なる前後方向に揺れ動いた場合に、該左右の躯体４、４の側壁３、３、３、３部分に生ずる三角形状の隙間７、７を覆うことができる一方の目地部側躯体４の両側壁３、３側の上部目地装置６の下部位置に後端部が固定され、先端部が他方の目地部側躯体４近傍へ突出する可撓性のシート材としてのゴム材を用いた第１の端部目地カバー８、他方の目地部側躯体４の両側壁３、３側の前記第１の端部目地カバー８、８の下部位置に後端部が固定され、先端部が一方の目地部側躯体４近傍へ突出する可撓性のシート材としてのゴム材を用いた第２の端部目地カバー９および、前記第１の端部目地カバー８と前記第２の端部目地カバー９に荷物や人が落ちても下方へ落下するのを防止することができるように受けることができ、かつ伸縮可能な第１・第２の端部目地カバー８、９を支持する支持機構１０、１０とからなる両端部目地装置１１、１１とで構成されている。
【００１５】
前記上部目地装置６は一方の目地部側躯体４の両側壁３、３間を覆うように後端部が複数個の皿ビス１２等で固定され、先端部が他方の目地部側躯体４上を左右方向にスライド移動可能に支持される、前記目地部の幅寸法の約２倍の幅寸法を有する少なくとも１個以上の目地プレート５と、この目地プレート５の先端部側を支持する他方の目地部側躯体４の両側壁３、３に形成された、該目地プレート５の前後方向の揺れ動きを吸収する目地プレートスライド移動溝１３、１３とで構成されている。
【００１６】
前記支持機構１０、１０は前記第２の端部目地カバー９、９の下部位置の一方の目地部側躯体４に一端部が固定され、他端部が前記第２の端部目地カバー９の後端部が固定された部位の下部に配置された滑車１４を介して、下部にスプリング１５を介して他方の目地部側躯体４に固定されたワイヤー１６で構成されたものが、少なくとも１個以上、本発明を実施する形態では３個用いられて構成されている。
【００１７】
上記構成の床用目地装置１は、地震により左右の躯体４、４が異なる左右方向へ揺れ動いて、目地部２が狭くなると、図４に示すように目地プレート５の先端部が他方の目地部側躯体４の上面をスライド移動し、第１・第２の端部目地カバー８、９は支持機構１０、１０のワイヤー１６、１６、１６を押し圧して変形して、その揺れ動きを吸収し、目地部２が広くなると、図５に示すように目地プレート５の先端部が他方の目地部側躯体４の上面をスライド移動するとともに、支持機構１０、１０のワイヤー１６、１６、１６を引き出して、その揺れ動きを吸収する。
【００１８】
左右の躯体４、４が異なる前後方向へ揺れ動くと、目地プレート５は一方の目地部側躯体４と一体的に移動するので、図６および図８に示すように目地プレート５の先端部側は他方の目地部側躯体４の両側壁３、３に形成した目地プレートスライド移動溝１３、１３内へ入って、その揺れ動きを吸収する。
この時、目地プレート５の両端部の一方の目地部側躯体４の両側壁３、３と他方の目地部側躯体４の両側壁３、３との間には三角形状の隙間が生じるが、図７および図９に示すように、第１の端部目地カバー８および第２の端部目地カバー９で、その隙間を覆うことができる。
また、第１の端部目地カバー８および第２の端部目地カバー９は、支持機構１０、１０、１０、１０、１０、１０で支持されているため、荷物や人が載っても下部へ落下するのを防止することができる。
[発明を実施するための異なる形態]
【００１９】
次に、図１０ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１４に示す本発明を実施するための第２の形態において、前記本発明を実施するための最良の第１の形態と主に異なる点は、一方の目地部側躯体４に形成された目地プレート支持凹部１７、他方の目地部側躯体４に形成された目地プレートスライド支持凹部１８と、前記目地プレート支持凹部１７に複数個のローラー１９で支持され、傾斜面２０が形成された先端部が前記目地プレートスライド支持凹部１８を覆うように支持される複数個、本発明の実施の形態では７個の並列された目地プレート５Ａ、５Ａ、５Ａ、５Ａ、５Ａ、５Ａ、５Ａと、この目地プレート５Ａ、５Ａ、５Ａ、５Ａ、５Ａ、５Ａ、５Ａの両端部の目地プレート５Ａ、５Ａを常時側壁３、３、３、３に当接するように付勢する付勢スプリング２１、２１と、前記両端部の目地プレート５Ａ、５Ａの内側の側面は下部が外方へ突出するように形成された傾斜面２２、２２と、前記両端部の目地プレート５Ａ、５Ａと隣り合う目地プレート５Ａ、５Ａに形成された、前記傾斜面２２、２２と面接触する傾斜面２３、２３と、この目地プレート５Ａ、５Ａと隣り合う目地プレート５Ａ、５Ａとに取付けられた両端部の目地プレート５Ａ、５Ａ側の目地プレート５Ａ、５Ａが上方へ回動できるヒンジ部材２４、２４とで構成された上部目地装置６Ａを用いた点で、左右の躯体４、４が異なる前後方向へ揺れ動いた場合、両端部の目地プレート５Ａ、５Ａが隣り合う目地プレート５Ａ、５Ａの下部へ入り込んで、その揺れ動きを吸収でき、このような上部目地装置６Ａを用いて構成した床用目地装置１Ａにしても、前記本発明を実施するための最良の第１の形態と同様な作用効果が得られる。
【００２１】
図１５ないし図１７に示す本発明を実施するための第３の形態において、前記本発明を実施するための最良の第１の形態と主に異なる点は、四角枠形状のリンク機構２５の両端部を、第２の端部目地カバー９の下部位置の左右の目地部側躯体４、４に上下方向へ回動可能なヒンジ部材２６、２６を介して取付けるとともに、前記リンク機構２５が常時ほぼ水平状態を保てるように両端部をスプリング２７、２７で押し圧する押し圧部材２８、２８を用いた支持機構１０Ａ、１０Ａを使用した両端部目地装置１１Ａ、１１Ａを用いた点で、このような両端部目地装置１１Ａ、１１Ａを用いて構成した床用目地装置１Ｂにしても、前記本発明を実施するための最良の第１の形態と同様な作用効果が得られる。
【００２２】
図１８ないし図２０に示す本発明を実施するための第４の形態において、前記本発明を実施するための第３の形態と主に異なる点は、第１・第２の端部目地カバー８Ａ、９Ａとして防火シート等のシート２９、２９を用いるとともに、該シート２９、２９の先端部を複数個のコイルスプリング３０、３０で、常時目地部２を覆うように取付けた第１・第２の端部目地カバー８Ａ、９Ａを使用した両端部目地装置１１Ｂ、１１Ｂを用いた点で、このような両端部目地装置１１Ｂ、１１Ｂを用いて構成した床用目地装置１Ｃにしても、前記本発明を実施するための第３の形態と同様な作用効果が得られる。
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う断面図。
【図３】図１の３−３線に沿う断面図。
【図４】本発明を実施するための最良の第１の形態の目地部が狭くなった動作説明図。
【図５】本発明を実施するための最良の第１の形態の目地部が広くなった動作説明図。
【図６】本発明を実施するための最良の第１の形態の異なる前後方向に動いた状態の平面図。
【図７】図６の７−７線に沿う断面図。
【図８】図６とは異なる前後方向に動いた状態の平面図。
【図９】図８の９−９線に沿う断面図。
【図１０】本発明を実施するための第２の形態の平面図。
【図１１】図１０の１１−１１線に沿う断面図。
【図１２】図１０の１２−１２線に沿う断面図。
【図１３】本発明を実施するための第２の形態の異なる前後方向に動いた状態の平面図。
【図１４】図１３の１４−１４線に沿う断面図。
【図１５】本発明を実施するための第３の形態の平面図。
【図１６】本発明を実施するための第３の形態の支持機構の平面図。
【図１７】図１６の１７−１７線に沿う断面図。
【図１８】本発明を実施するための第４の形態の平面図。
【図１９】図１８の１９−１９線に沿う断面図。
【図２０】第１・第２の端部目地カバーの取付け状態の説明図。
【符号の説明】
【００２５】
１、１Ａ、１Ｂ、１Ｃ：床用目地装置、
２：目地部、                  ３：側壁、
４：躯体、                    ５：目地プレート、            
６、６Ａ：上部目地装置、      ７：隙間、
８、８Ａ：第１の端部目地カバー、
９、９Ａ：第２の端部目地カバー、
１０、１０Ａ：支持機構、                        
１１、１１Ａ、１１Ｂ：端部目地装置、
１２：皿ビス、
１３：目地プレートスライド移動溝、
１４：滑車、                  １５：スプリング、
１６：ワイヤー、              １７：目地プレート支持凹部、
１８：目地プレートスライド支持凹部、
１９：ローラー、              ２０：傾斜面、
２１：付勢スプリング、        ２２：傾斜面、
２３：傾斜面、                ２４：ヒンジ部材、
２５：リンク機構、            ２６：ヒンジ部材、
２７：スプリング、            ２８：押し圧部材、
２９：シート、                ３０：コイルスプリング。
【図１】
0004977091.tif 000002
【図２】
0004977091.tif 000003
【図３】
0004977091.tif 000004
【図４】
0004977091.tif 000005
【図５】
0004977091.tif 000006
【図６】
0004977091.tif 000007
【図７】
0004977091.tif 000008
【図８】
0004977091.tif 000009
【図９】
0004977091.tif 000010
【図１０】
0004977091.tif 000011
【図１１】
0004977091.tif 000012
【図１２】
0004977091.tif 000013
【図１３】
0004977091.tif 000014
【図１４】
0004977091.tif 000015
【図１５】
0004977091.tif 000016
【図１６】
0004977091.tif 000017
【図１７】
0004977091.tif 000018
【図１８】
0004977091.tif 000019
【図１９】
0004977091.tif 000020
【図２０】
0004977091.tif 000021